【事件の表示】
　特願２００９−１３８９０１「コンテナ表示制御装置及びそのプログラム」拒絶査定不服審判事件〔平成２３年　１月２０日出願公開、特開２０１１−　１３７０３〕について、次のとおり審決する。
【結　論】
　本件審判の請求は、成り立たない。
【理　由】
第１．手続の経緯
　本願は、平成２１年６月１０日の出願であって、平成２２年９月３日付けで拒絶査定がなされ、これに対して平成２２年１１月２９日に拒絶査定不服審判が請求されたものである。
　　
　　
第２．本願発明
　本願の請求項１に係る発明（以下、「本願発明」という。）は、平成２２年６月１８日付け手続補正書の特許請求の範囲の請求項１に記載された事項により特定される、次のものである。
　　　　　　　　　　
「【請求項１】
　最上位コンテナの１つ下の階層の１又は複数のコンテナに関するコンテナタイトルをサーバから取得するコンテナタイトル取得手段と、
　コンテナのカテゴリが第１カテゴリであることを示す識別情報、及び、コンテナのカテゴリが第２カテゴリであることを示す識別情報が予め登録されている登録部と、
　最上位コンテナの１つ下の階層の各コンテナについて、タイトルの中に前記登録部に登録されている前記第１カテゴリであることを示す識別情報が含まれているか否か、及び、最上位コンテナの１つ下の階層の各コンテナについて、タイトルの中に前記登録部に登録されている前記第２カテゴリであることを示す識別情報が含まれているか否かを判断するカテゴリ判断手段と、
　最上位コンテナの１つ下の階層の１又は複数のコンテナの内、タイトルの中に前記第１カテゴリであることを示す識別情報が含まれているコンテナが１つのみであるか否かを判断する判断手段と、
　タイトルの中に前記第１カテゴリであることを示す識別情報が含まれているコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を表示装置に表示させ、タイトルの中に前記第１カテゴリであることを示す識別情報が含まれているコンテナが１つのみでない場合に、最上位コンテナの１つ下の階層の１又は複数のコンテナの内、タイトルの中に前記第２カテゴリであることを示す識別情報が含まれているコンテナを表示させず、残りのコンテナの一覧を表示させる表示制御手段とを備える、コンテナ表示制御装置。」
　　　　　　
　　　　　　
第３．引用発明
　原査定の拒絶の理由に引用された刊行物１（特開２００８−１６５６４６号公報）には、図面とともに、以下の事項が記載されている。
　　　　　
（ａ）段落番号【００３３】
「【００３３】
　図３は、メディアサーバに格納されたコンテンツを管理するツリー構造の例を示す図である。
　ＵＰｎＰ機器であるメディアサーバには、ＣＤＳ（Contents Directory Service）という機能（Service）が組み込まれており、メディアサーバはこの機能により、コントロールポイントに対して、メディアサーバにどのようにコンテンツが格納されているかを通知する。ＣＤＳには、コンテナ（Container）とアイテム（Item）という二つの抽象化されたオブジェクト（Object）があり、これらはいわば、米マイクロソフト社が提供するＯＳ（Operating System）であるＷＩＮＤＯＷＳ（登録商標）におけるフォルダ（Folder）とファイル（File）に相当する。コンテナとアイテムは、図３に示すように常にツリー構造を作ることになっている。なお、本実施の形態では、配信されるオーディオコンテンツ（オーディオデータ）が、図３におけるアイテムを意味している。」
　　　　　　　　　　　　　
（ｂ）段落番号【００５４】−【００５６】
「【００５４】
　情報格納部１２０には、サーバ装置１内のコンテンツが、その種別毎にツリー構造にまとめられた階層データが格納されている。
　図７は、データ格納部に格納された階層データの一例を示す図である。
【００５５】
　階層データ１２０ａは、固有のオブジェクトＩＤを備えるルートコンテナ４０を有している。ルートコンテナ４０の子階層には、それぞれ異なるカテゴリーのコンテンツを備え、固有のオブジェクトＩＤを備えるコンテナ５０、６０、７０が設けられている。コンテナ５０は、オーディオコンテンツ５１、５１、５１を有している。コンテナ６０は、ビデオコンテンツ６１、６１、６１を有している。コンテナ７０は、ピクチャーコンテンツ７１、７１、７１を有している。
【００５６】
　コンテナ５０、６０、７０には、それぞれコンテナに含まれるコンテンツの中身を示すタグ（フォルダ属性）が付されている。コンテナ５０には、オーディオタグ５２が付されており、コンテナ６０にはビデオタグ６２が付されており、コンテナ７０にはピクチャータグ７２が付されている。」
　　　　　　　　　　　　　　　　　　
（ｃ）段落番号【００５８】−【００６３】
「【００５８】
　Ｉ／Ｆ部１３０は、制御部１１０とオーディオ再生装置２〜４とのインタフェースを構成している。
　図８は、オーディオ再生装置のソフトウェア構成を示すブロック図である。なお、図８では代表的にオーディオ再生装置２の機能を示しているが、オーディオ再生装置３、４もオーディオ再生装置２と同様の機能を有している。
【００５９】
　オーディオ再生装置２は、リスト取得部２１０と、サーバ情報格納部２２０と、タグ解析部２３０と、階層表示部２４０と、コンテンツ再生部２５０と、Ｉ／Ｆ部２６０とを有している。
【００６０】
　リスト取得部２１０は、例えばオーディオ再生装置２の電源ＯＮ時に、サーバ装置１にアクセスし、階層データ１２０ａの構造を取得する要求（階層構造の取得要求）をサーバ装置１に送信する。このリスト取得部２１０が、サーバアクセス部とフォルダ属性取得部との主要部を構成している。
【００６１】
　サーバ情報格納部２２０には、オーディオ再生装置２のサーバ装置１へのアクセスの有無を示すアクセスフラグと、サーバ装置１のルートコンテナ４０のオブジェクトＩＤとが格納されている。なお、アクセスフラグの状態は、オーディオ再生装置２のＯＦＦ時にリセットさせるようになってもよいし、そのまま保持されるようになっていてもよい。
【００６２】
　タグ解析部２３０は、タグの個数および種別を把握し、オーディオタグ５２が付されたオーディオコンテナおよびその中身（コンテナおよびコンテンツ）を抽出する。このタグ解析部２３０が、判断部の主要部を構成している。
【００６３】
　階層表示部２４０は、タグ解析部２３０により抽出されたオーディオコンテナおよびその中身のみを、モニタ２６ａに表示する。
　コンテンツ再生部２５０は、ユーザに選択されたコンテンツのコンテンツデータをサーバ装置１から取得し、再生する。」
　　　　　　　　　　　　　　　　　　
（ｄ）段落番号【００６５】−【００７４】
「【００６５】
　図９は、コンテンツ再生動作を示すフローチャートである。
　まず、オーディオ再生装置２の電源がＯＮすると、リスト取得部２１０がアクセスフラグを参照し、サーバ装置１に対する最初のアクセスか否かを判断する（ステップＳ１１）。
【００６６】
　最初のアクセスの場合（ステップＳ１１のＹｅｓ）、リスト取得部２１０が、サーバ情報格納部２２０に格納されているルートコンテナ４０のオブジェクトＩＤに基づいて、ルートコンテナ４０にＢｒｏｗｓｅ　Ｄｉｒｅｃｔ　Ｃｈｉｌｄｒｅｎを実行し、リストを取得する（ステップＳ１２）。
【００６７】
　Ｂｒｏｗｓｅ　Ｄｉｒｅｃｔ　Ｃｈｉｌｄｒｅｎを送信することによって、（１）リスト（タグの名称、コンテナおよびアイテムの有無並びにそれらの配列（ｅｘ：アイテムが先に並んでいる、タイトル順に並んでいる等））、（２）子コンテナおよびアイテムの総数、（３）子コンテナおよびアイテムそれぞれのオブジェクトＩＤと名前（文字列）、（４）オブジェクトの属性等が得られる。
【００６８】
　次に、タグ解析部２３０が、各コンテナに付されているタグを解析し、オーディオコンテナ（目的とするコンテナ）の個数を調べる（ステップＳ１３）。その結果、オーディオコンテナの数が１つも存在しない場合、または２つ以上存在する場合（ステップＳ１３のＮｏ）、動作を終了する。一方、オーディオコンテナの数が１つである場合（ステップＳ１３のＹｅｓ）、発見したオーディオコンテナのオブジェクトＩＤをルートＩＤに設定する（ステップＳ１４）。そして、設定したルートＩＤを、サーバ情報格納部２２０に格納する。
【００６９】
　一方、ステップＳ１１において、最初のアクセスではない場合（２回目以降のアクセスである場合）（ステップＳ１１のＮｏ）、リスト取得部２１０は、最初のアクセスにおいてタグ解析部２３０がサーバ情報格納部２２０に格納したルートＩＤを備えるオーディオコンテナに、必要に応じてＢｒｏｗｓｅ　Ｄｉｒｅｃｔ　Ｃｈｉｌｄｒｅｎを実行し、リストを取得する（ステップＳ１５）。
【００７０】
　次に、階層表示部２４０が、得られたリストに基づいてオーディオコンテナの階層をモニタ２６ａに表示する（ステップＳ１６）。
　図１０は、モニタに表示された画面の一例を示す図である。
【００７１】
　図１０では、モニタ２６ａには、ルートコンテナ４０が表示されることなく、最初からコンテナ５０およびオーディオコンテンツ５１、５１、５１が表示される。そして、オーディオコンテンツ５１、５１、５１のうちのいずれか１つがユーザにより選択されると、コンテンツ再生部２５０が、選択されたオーディオコンテンツ５１のコンテンツデータをサーバ装置１から取得し、再生する。
【００７２】
　以上説明したように、本実施の形態のネットワークシステムによれば、オーディオ再生装置２〜４は、サーバ装置１で公開している全てのコンテナを見せずに、オーディオコンテンツが入っているコンテナのみを表示部２６ａに表示するようにしたので、ユーザにとって不必要な情報を表示させることなく、ユーザはコンテンツ検索をより容易に行うことができる。
【００７３】
　また、タグ解析部２３０がタグに基づいて判断するようにしたため、実際にコンテンツの内容を見ることなく判断することができ、処理を迅速に行うことができる。
　また、オーディオタグが付されたコンテナを次回以降のアクセスにおけるルートコンテナとみなし、次回以降のアクセスにおいて、リスト取得部２１０がそのルートＩＤを用いてサーバ装置１にアクセスすることにより、次回以降のサーバ装置１との接続時間の短縮を図ることができる。
【００７４】
　なお、本実施の形態では、オーディオコンテナの数が２つ以上存在する場合は、動作を終了するようにしたが、本発明はこれに限らず、例えば再生可能なオーディオコンテナを全てモニタ２６ａに表示するようにしてもよい。」
　　　　　　　　
　　　　　　　　
　したがって、刊行物１には次の発明（以下、「引用発明」という。）が記載されていると認められる。
　　　　　　　　　
「ＵＰｎＰ機器であるメディアサーバには、ＣＤＳ（Contents Directory Service）という機能（Service）が組み込まれており、メディアサーバはこの機能により、コントロールポイントに対して、メディアサーバにどのようにコンテンツが格納されているかを通知し、ＣＤＳには、コンテナ（Container）とアイテム（Item）という二つの抽象化されたオブジェクト（Object）があり、これらはいわば、米マイクロソフト社が提供するＯＳ（Operating System）であるＷＩＮＤＯＷＳ（登録商標）におけるフォルダ（Folder）とファイル（File）に相当しており、コンテナとアイテムは、常にツリー構造を作ることになっており、配信されるオーディオコンテンツ（オーディオデータ）が、アイテムを意味しており、
　サーバ装置１の情報格納部１２０には、サーバ装置１内のコンテンツが、その種別毎にツリー構造にまとめられた階層データが格納されており、
　階層データ１２０ａは、固有のオブジェクトＩＤを備えるルートコンテナ４０を有しており、ルートコンテナ４０の子階層には、それぞれ異なるカテゴリーのコンテンツを備え、固有のオブジェクトＩＤを備えるコンテナ５０、６０、７０が設けられており、コンテナ５０は、オーディオコンテンツ５１、５１、５１を有しており、コンテナ６０は、ビデオコンテンツ６１、６１、６１を有しており、コンテナ７０は、ピクチャーコンテンツ７１、７１、７１を有しており、
　コンテナ５０、６０、７０には、それぞれコンテナに含まれるコンテンツの中身を示すタグ（フォルダ属性）が付されていて、コンテナ５０には、オーディオタグ５２が付されており、コンテナ６０にはビデオタグ６２が付されており、コンテナ７０にはピクチャータグ７２が付されており、
　リスト取得部２１０と、サーバ情報格納部２２０と、タグ解析部２３０と、階層表示部２４０と、コンテンツ再生部２５０と、Ｉ／Ｆ部２６０とを有するオーディオ再生装置２であって、
　リスト取得部２１０は、例えばオーディオ再生装置２の電源ＯＮ時に、サーバ装置１にアクセスし、階層データ１２０ａの構造を取得する要求（階層構造の取得要求）をサーバ装置１に送信し、
　サーバ情報格納部２２０には、オーディオ再生装置２のサーバ装置１へのアクセスの有無を示すアクセスフラグと、サーバ装置１のルートコンテナ４０のオブジェクトＩＤとが格納されており、なお、アクセスフラグの状態は、オーディオ再生装置２のＯＦＦ時にリセットさせるようになってもよいし、そのまま保持されるようになっていてもよく、
　タグ解析部２３０は、タグの個数および種別を把握し、オーディオタグ５２が付されたオーディオコンテナおよびその中身（コンテナおよびコンテンツ）を抽出し、
　階層表示部２４０は、タグ解析部２３０により抽出されたオーディオコンテナおよびその中身のみを、モニタ２６ａに表示し、
　コンテンツ再生部２５０は、ユーザに選択されたコンテンツのコンテンツデータをサーバ装置１から取得し、再生するものであり、
　まず、オーディオ再生装置２の電源がＯＮすると、リスト取得部２１０がアクセスフラグを参照し、サーバ装置１に対する最初のアクセスか否かを判断し（ステップＳ１１）、
　最初のアクセスの場合（ステップＳ１１のＹｅｓ）、リスト取得部２１０が、サーバ情報格納部２２０に格納されているルートコンテナ４０のオブジェクトＩＤに基づいて、ルートコンテナ４０にＢｒｏｗｓｅ　Ｄｉｒｅｃｔ　Ｃｈｉｌｄｒｅｎを実行し、リストを取得し（ステップＳ１２）、
　Ｂｒｏｗｓｅ　Ｄｉｒｅｃｔ　Ｃｈｉｌｄｒｅｎを送信することによって、（１）リスト（タグの名称、コンテナおよびアイテムの有無並びにそれらの配列（ｅｘ：アイテムが先に並んでいる、タイトル順に並んでいる等））、（２）子コンテナおよびアイテムの総数、（３）子コンテナおよびアイテムそれぞれのオブジェクトＩＤと名前（文字列）、（４）オブジェクトの属性等が得られ、
　次に、タグ解析部２３０が、各コンテナに付されているタグを解析し、オーディオコンテナ（目的とするコンテナ）の個数を調べ（ステップＳ１３）、その結果、オーディオコンテナの数が１つも存在しない場合（ステップＳ１３のＮｏ）、動作を終了し、一方、オーディオコンテナの数が１つである場合（ステップＳ１３のＹｅｓ）、発見したオーディオコンテナのオブジェクトＩＤをルートＩＤに設定し（ステップＳ１４）、そして、設定したルートＩＤを、サーバ情報格納部２２０に格納し、
　次に、階層表示部２４０が、得られたリストに基づいてオーディオコンテナの階層をモニタ２６ａに表示し（ステップＳ１６）、
　この時、モニタ２６ａには、ルートコンテナ４０が表示されることなく、最初からコンテナ５０およびオーディオコンテンツ５１、５１、５１が表示され、そして、オーディオコンテンツ５１、５１、５１のうちのいずれか１つがユーザにより選択されると、コンテンツ再生部２５０が、選択されたオーディオコンテンツ５１のコンテンツデータをサーバ装置１から取得し、再生し、
　前記ステップＳ１３において、オーディオコンテナの数が２つ以上存在する場合は、再生可能なオーディオコンテナを全てモニタ２６ａに表示するように動作し、
　以上説明したように、サーバ装置１で公開している全てのコンテナを見せずに、オーディオコンテンツが入っているコンテナのみを表示部２６ａに表示するようにしたので、ユーザにとって不必要な情報を表示させることなく、ユーザはコンテンツ検索をより容易に行うことができる、
　オーディオ再生装置２。」
　　　　　　
　　　　　　
第４．本願発明と引用発明の一致点・相違点
　　　　　　
　引用発明において、サーバ装置１に対する最初のアクセスの場合（ステップＳ１１のＹｅｓ）、リスト取得部２１０が、サーバ装置１のサーバ情報格納部２２０に格納されているルートコンテナ４０のオブジェクトＩＤに基づいて、ルートコンテナ４０にＢｒｏｗｓｅ　Ｄｉｒｅｃｔ　Ｃｈｉｌｄｒｅｎを実行し、リストを取得する（ステップＳ１２）。
　Ｂｒｏｗｓｅ　Ｄｉｒｅｃｔ　Ｃｈｉｌｄｒｅｎを送信することによって、（３）
子コンテナ
それぞれの
名前（文字列）
　引用発明の「ルートコンテナ４０」が、本願発明の「最上位コンテナ」に相当する。子コンテナの数が一般的に１つ又は複数であることは技術常識であるから、引用発明の「子コンテナ」が、本願発明の「最上位コンテナの１つ下の階層の１つ又は複数のコンテナ」に相当する。引用発明の子コンテナの名前（文字列）が、本願発明の「最上位コンテナの１つ下の階層の１つ又は複数のコンテナに関するコンテナタイトル」に相当する。引用発明のリスト取得部２１０は、サーバ装置１から子コンテナの名前（文字列）を得ているから、本願発明の「最上位コンテナの１つ下の階層の１つ又は複数のコンテナに関するコンテナタイトルをサーバから取得するコンテナタイトル取得手段」に相当する。
　　　　　　　
　引用発明のオーディオが、本願発明の「第１カテゴリ」に相当する。引用発明のオーディオコンテナと本願発明の「タイトルの中に前記第１カテゴリであることを示す識別情報が含まれているコンテナ」とは、「第１カテゴリのコンテナ」である点で一致している。
　引用発明のビデオ及びピクチャが、本願発明の「第２カテゴリ」に相当する。引用発明のビデオタグ６２が付されているコンテナ６０及びピクチャータグ７２が付されているコンテナ７０と、本願発明の「タイトルの中に前記第２カテゴリであることを示す識別情報が含まれているコンテナ」とは、「第２カテゴリのコンテナ」である点で一致している。
　　　　　　　  
　引用発明のタグ解析部２３０は、タグの個数および種別を把握する。したがって、引用発明のタグ解析部２３０と、本願発明のカテゴリ判断手段は、「最上位コンテナの１つ下の階層の各コンテナについて、第１カテゴリのコンテナであるか否か、及び、最上位コンテナの１つ下の階層の各コンテナについて、第２カテゴリのコンテナであるか否かを判断するカテゴリ判断手段」である点で一致している。
　　　　　　　　
　引用発明では、ステップＳ１３において、オーディオコンテナ（目的とするコンテナ）の個数を調べ、その結果、（１）オーディオコンテナの数が１つも存在しない場合、（２）オーディオコンテナの数が１つである場合、（３）オーディオコンテナの数が２つ以上存在する場合の三つに場合分けしている。
　したがって、引用発明と本願発明とは、「最上位コンテナの１つ下の階層の１又は複数のコンテナの内、第１カテゴリのコンテナが１つのみであるか否かを判断する判断手段」を備える点で一致している。
　　　　　　      
　引用発明では、オーディオコンテナの数が１つである場合には、モニタ２６ａには、ルートコンテナ４０が表示されることなく、最初からオーディオコンテナであるコンテナ５０および該コンテナ５０のコンテンツであるオーディオコンテンツ５１、５１、５１が一覧される。そして、ルートコンテナ４０の１つ下の階層の１つ又は複数であるコンテナ５０，６０，７０の一覧表示はされていない。
　したがって、引用発明の階層表示部２４０と本願発明の表示制御手段とは、「前記第１カテゴリのコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナ又はコンテンツの一覧を表示装置に表示させる」点で一致している。
　　　　　　　　　
　引用発明では、オーディオコンテナの数が２つ以上存在する場合は、再生可能なオーディオコンテナを全てモニタ２６ａに表示する。この場合、最上位コンテナの１つ下の階層の１又は複数のコンテナ（５０，６０，７０）の内、第２カテゴリのコンテナである、ビデオタグ６２が付されているコンテナ６０及びピクチャータグ７２が付されているコンテナ７０が表示されるのか否か、定かでない。しかし、残りのコンテナである、２つ以上のオーディオコンテナが一覧表示されることは確かである。
　したがって、引用発明の階層表示部２４０と本願発明の表示制御手段とは、「前記第１カテゴリのコンテナが１つのみでない場合に、残りのコンテナの一覧を表示させる」点で一致している。
　　　　　　　
　　　　　　　
　したがって、本願発明と引用発明の一致点・相違点は、次のとおりである。
　　　　　　　
［一致点］
「最上位コンテナの１つ下の階層の１又は複数のコンテナに関するコンテナタイトルをサーバから取得するコンテナタイトル取得手段と、
　最上位コンテナの１つ下の階層の各コンテナについて、第１カテゴリのコンテナであるか否か、及び、最上位コンテナの１つ下の階層の各コンテナについて、第２カテゴリのコンテナであるか否かを判断するカテゴリ判断手段と、
　最上位コンテナの１つ下の階層の１又は複数のコンテナの内、前記第１カテゴリのコンテナが１つのみであるか否かを判断する判断手段と、
　前記第１カテゴリのコンテナが１つのみである場合に、最上位コンテナの１つ下の階層の１又は複数のコンテナの一覧を表示させることなく、前記第１カテゴリのコンテナの１つ下の階層の１又は複数のコンテナ又はコンテンツの一覧を表示装置に表示させ、
　前記第１カテゴリのコンテナが１つのみでない場合に、残りのコンテナの一覧を表示させる表示制御手段とを備える、コンテナ表示制御装置。」である点。　
　　　　　　　　　
［相違点１］
　本願発明は、「コンテナのカテゴリが第１カテゴリであることを示す識別情報、及び、コンテナのカテゴリが第２カテゴリであることを示す識別情報が予め登録されている登録部」を備えるのに対して、引用発明は、そのような登録部が明記されていない点。
　　　　　
［相違点２］
　コンテナが第１カテゴリのコンテナであるか否か及び第２カテゴリのコンテナであるか否かを判断する際に、本願発明のカテゴリ判断手段は「タイトルの中に前記登録部に登録されている前記第１カテゴリであることを示す識別情報が含まれているか否か」及び「タイトルの中に前記登録部に登録されている前記第２カテゴリであることを示す識別情報が含まれているか否か」に基づいて判断するのに対して、引用発明では、コンテナに付されているタグに基づいて判断する点。
　　　　　
［相違点３］
　第１カテゴリのコンテナが１つのみである場合に、本願発明では、第１カテゴリのコンテナの１つ下の階層の１又は複数の
コンテナ
コンテンツ
　　　　　
［相違点４］
　第１カテゴリのコンテナが１つのみでない場合に、本願発明では、第２カテゴリのコンテナを表示させないのに対して、引用発明では、第２カテゴリのコンテナである、ビデオタグ６２が付されているコンテナ６０及びピクチャータグ７２が付されているコンテナ７０を表示させるのか否か、定かでない点。　　　
　　　　　
　　　　　　
第５．相違点についての検討
　　　　　　
［相違点１及び相違点２について］
　例えば、特開２００８−１２９８２１号公報の段落番号【００５１】−【００５２】に、
「【００５１】
　図９は、本実施の形態に係る関連情報抽出部２１１によるアジェンダの検索処理（Ｓ１０５）を説明するフローチャートである。
【００５２】
　まずステップＳ３０１で、渡された会議名を作業領域に記憶する。次にステップＳ３０２に進み、フォルダの属性、即ち
フォルダ名
に、その会議の会議名を含むフォルダがあるか
そのフォルダの属性に当日の日付に該当する文字列を含むフォルダがあるか
　　　　　　　　　　　
　また、特開２００５−２５２８１１号公報の段落番号【００３８】に、
「【００３８】
　検索対象とするカテゴリ分類は、ユーザーの指示（選択）に基づいて決定され、検索に関する制御は、制御部４０により記憶部２０に対して行われる。ここで、画像データが、上述したＤＣＦで規格されている
ディレクトリ、ファイルの階層構造
カテゴリ別の画像検索を
ＤＣＦディレクトリ名の自由文字（図２のＤ２）、
を利用して実施することが可能となる。
　　　　　　　　　　　
　このように、フォルダやディレクトリのカテゴリを判断する際に、カテゴリに関連した文字列が、フォルダやディレクトリの名前に含まれているか否かに応じて判断することは、周知である。
　引用発明にも記載があるように、ＣＤＳのコンテナ（Container）とアイテム（Item）は、米マイクロソフト社が提供するＷＩＮＤＯＷＳ（登録商標）におけるフォルダ（Folder）とファイル（File）に相当しているから、引用発明において、第１カテゴリのコンテナであるか否か、及び第２カテゴリのコンテナであるか否かを判断する際に、判断対象のコンテナの名前に、第１カテゴリに関連した文字列が含まれているか否か、及び第２カテゴリに関連した文字列が含まれているか否かに応じて判断することは、容易に想到できたことである。
　また、「第１カテゴリに関連した文字列」及び「第２カテゴリに関連した文字列」を、登録部に登録しておくことは、設計的事項に過ぎないと認められる。
　　　　　　　　　　　
［相違点３について］
　引用発明において、刊行物１の図７のようにルートコンテナ４０の下のコンテナの階層が１階層という特別な構造であるので、第１カテゴリのコンテナが１つのみである場合に、コンテンツの一覧が表示されている。　
　しかし、一般的には、刊行物１の図３のように、Ｒｏｏｔコンテナの下のコンテナの階層が２階層以上の方が普通である。また、引用発明においては「タグ解析部２３０は、タグの個数および種別を把握し、オーディオタグ５２が付された
オーディオコンテナおよびその中身（コンテナおよびコンテンツ）を抽出し、
その中身のみを、モニタ２６ａに表示し
　　　　　　　　　　　　　　
［相違点４について］
　引用発明の階層表示部２４０は、タグ解析部２３０により抽出されたオーディオコンテナおよびその中身
のみ
　また引用発明には、その効果に関して、「オーディオコンテンツが入っているコンテナ
のみ
　したがって、引用発明において、第１カテゴリのコンテナが１つのみでない場合に、第２カテゴリのコンテナを表示させないことは、容易に想到できたことである。
　　　　　　　　　　　　　　　
　そして、本願発明の作用効果も、引用発明及び周知技術から当業者が予測できる範囲のものである。
　したがって、本願発明は、引用発明及び周知技術に基づいて、当業者が容易に発明をすることができたものである。
　　　　　
　　　　　
第６．むすび
　以上のとおり、本願の請求項１に係る発明は、刊行物１に記載された発明及び周知技術に基づいて、当業者が容易に発明をすることができたものであるから、特許法第２９条第２項の規定により特許を受けることができない。
　したがって、本願のその余の請求項に係る発明について検討するまでもなく、本願は拒絶されるべきものである。
　よって、結論のとおり審決する。